(57)【要約】【課題】互いに異なる複数種類の放送波に由来するコンテンツが混在している状態において、外字を検索条件に含む場合のコンテンツ検索の利便性を確保することが可能な放送受信装置等を提供する。【解決手段】放送受信装置は、第１の放送波と第２の放送波とを含む複数種類の放送波を受信する放送波受信部と、第１の放送波に由来するコンテンツと、第２の放送波に由来するコンテンツと、が混在するコンテンツ群の中から、検索条件に該当するコンテンツを検索して検索結果を取得する検索処理部と、を有する。検索処理部は、コンテンツ群を構成するコンテンツの由来となった放送波に応じた異なる処理を行うことにより、検索条件として指定された外字がコンテンツ群を構成するコンテンツの番組情報に含まれているか否かに係る処理結果を取得する。【選択図】図１
2019186782.tif 000002
【特許請求の範囲】
【請求項１】
文字とこの文字に対応するコードとが少なくとも一部で異なる第１の放送波と第２の放送波とを含む複数種類の放送波を受信する放送波受信部と、
前記第１の放送波に由来するコンテンツと、前記第２の放送波に由来するコンテンツと、が混在するコンテンツ群の中から、ユーザにより指定された検索条件に該当するコンテンツを検索して検索結果を取得するための処理を行う検索処理部と、
を有し、
前記検索処理部は、前記コンテンツ群を構成するコンテンツの由来となった放送波に応じた異なる処理を行うことにより、前記検索条件として指定された外字が前記コンテンツ群を構成するコンテンツの番組情報に含まれているか否かに係る処理結果を取得する
ことを特徴とする放送受信装置。
【請求項２】
前記検索処理部は、前記検索条件として外字が指定された場合に、前記コンテンツ群の中から選択した検索対象のコンテンツが前記複数種類の放送波のうちのどの種類の放送波に由来するものであるかを特定し、当該特定した種類の放送波において任意の外字を符号化する際に用いられた文字コードに応じた異なる処理を行うことにより、前記検索条件として指定された外字が前記検索対象のコンテンツの番組情報に含まれているか否かに係る処理結果を取得する
ことを特徴とする請求項１に記載の放送受信装置。
【請求項３】
前記検索対象のコンテンツが前記複数種類の放送波のうちの所定の種類の放送波に由来するコンテンツであることを特定した場合に、前記検索対象のコンテンツの番組情報に含まれる外字を示す第１のコードを、前記所定の種類の放送波において任意の外字を符号化する際に用いられた所定の文字コードに応じたコードのまま維持し、前記検索対象のコンテンツが前記複数種類の放送波のうちの前記所定の種類とは異なる種類の放送波に由来するコンテンツであることを特定した場合に、前記検索対象のコンテンツの番組情報に含まれる外字を示す第２のコードを、前記所定の文字コードに応じた第３のコードに変換する処理を行う
ことを特徴とする請求項２に記載の放送受信装置。
【請求項４】
前記検索処理部は、前記検索対象のコンテンツが前記所定の種類の放送波に由来するコンテンツであることを特定した場合に、前記第１のコードと、前記検索条件として指定された外字を前記所定の文字コードに応じたコードに変換して得られた第４のコードと、を比較することにより、前記検索条件として指定された外字が前記検索対象のコンテンツの番組情報に含まれているか否かに係る処理結果を取得し、前記検索対象のコンテンツが前記所定の種類とは異なる種類の放送波に由来するコンテンツであることを特定した場合に、前記第３のコードと、前記第４のコードと、を比較することにより、前記検索条件として指定された外字が前記検索対象のコンテンツの番組情報に含まれているか否かに係る処理結果を取得する
ことを特徴とする請求項３に記載の放送受信装置。
【請求項５】
前記検索処理部は、前記検索対象のコンテンツが前記複数種類の放送波のうちの第１の種類の放送波に由来するコンテンツであることを特定した場合に、前記第１の放送波において任意の外字を符号化する際に用いられた第１の文字コードのコードにより示される外字の種類を特定可能な第１の文字コード対応表を参照することにより、前記検索条件として指定された外字が前記検索対象のコンテンツの番組情報に含まれているか否かに係る処理結果を取得し、前記検索対象のコンテンツが前記複数種類の放送波のうちの前記第２の種類の放送波に由来するコンテンツであることを特定した場合に、前記第２の放送波において任意の外字を符号化する際に用いられた第２の文字コードのコードにより示される外字の種類を特定可能な第２の文字コード対応表を参照することにより、前記検索条件として指定された外字が前記検索対象のコンテンツの番組情報に含まれているか否かに係る処理結果を取得する
ことを特徴とする請求項２に記載の放送受信装置。
【請求項６】
互いに異なる複数種類の放送波を受信する放送波受信部と、
前記放送波受信部において受信される前記複数種類の放送波のうちのいずれかの放送波に由来する記録対象のコンテンツを記録部に記録させるための動作を行う記録制御部と、
前記記録部に記録されている各コンテンツの中から、ユーザにより指定された検索条件に該当するコンテンツを検索して検索結果を取得するための処理を行う検索処理部と、
を有し、
前記記録制御部は、前記記録対象のコンテンツが前記複数種類の放送波のうちのどの種類の放送波に由来するものであるかを特定し、前記記録対象のコンテンツが前記複数種類の放送波のうちの所定の種類の放送波に由来するコンテンツであることを特定した場合に、前記記録対象のコンテンツの番組情報に含まれる外字を示す第１のコードを、前記所定の種類の放送波において任意の外字を符号化する際に用いられた所定の文字コードに応じたコードとして維持したまま前記記録部に記録させ、前記記録対象のコンテンツが前記複数種類の放送波のうちの前記所定の種類とは異なる種類の放送波に由来するコンテンツであることを特定した場合に、前記記録対象のコンテンツの番組情報に含まれる外字を示す第２のコードを、前記所定の文字コードに応じた第３のコードに変換して前記記録部に記録させ、
前記検索処理部は、前記検索条件として外字が指定された場合に、前記第１のコードまたは前記第３のコードと、前記検索条件として指定された外字を前記所定の文字コードに応じたコードに変換して得られた第４のコードと、を比較することにより、前記記録部に記録されている各コンテンツの中から選択した検索対象のコンテンツの番組情報に前記検索条件として指定された外字が含まれているか否かに係る処理結果を取得する
ことを特徴とする放送受信装置。
【請求項７】
文字とこの文字に対応するコードとが少なくとも一部で異なる第１の放送波と第２の放送波とを含む複数種類の放送波を受信する放送波受信部と、
前記第１の放送波に由来するコンテンツと、前記第２の放送波に由来するコンテンツと、が混在するコンテンツ群の中から、ユーザにより指定された検索条件に該当するコンテンツを検索して検索結果を取得するための処理を行う検索処理部と、
を有する放送受信装置において行われるコンテンツ検索方法であって、
前記検索処理部が、前記コンテンツ群を構成するコンテンツの由来となった放送波に応じた異なる処理を行うことにより、前記検索条件として指定された外字が前記コンテンツ群を構成するコンテンツの番組情報に含まれているか否かに係る処理結果を取得する
ことを特徴とするコンテンツ検索方法。
【請求項８】
互いに異なる複数種類の放送波を受信する放送波受信部と、
前記放送波受信部において受信される前記複数種類の放送波のうちのいずれかの放送波に由来する記録対象のコンテンツを記録部に記録させるための動作を行う記録制御部と、
前記記録部に記録されている各コンテンツの中から、ユーザにより指定された検索条件に該当するコンテンツを検索して検索結果を取得するための処理を行う検索処理部と、
を有する放送受信装置において行われるコンテンツ検索方法であって、
前記記録制御部が、前記記録対象のコンテンツが前記複数種類の放送波のうちのどの種類の放送波に由来するものであるかを特定し、
前記記録制御部が、前記記録対象のコンテンツが前記複数種類の放送波のうちの所定の種類の放送波に由来するコンテンツであることを特定した場合に、前記記録対象のコンテンツの番組情報に含まれる外字を示す第１のコードを、前記所定の種類の放送波において任意の外字を符号化する際に用いられた所定の文字コードに応じたコードとして維持したまま前記記録部に記録させ、前記記録対象のコンテンツが前記複数種類の放送波のうちの前記所定の種類とは異なる種類の放送波に由来するコンテンツであることを特定した場合に、前記検索対象のコンテンツの番組情報に含まれる外字を示す第２のコードを、前記所定の文字コードに応じた第３のコードに変換して前記記録部に記録させ、
前記検索処理部が、前記検索条件として外字が指定された場合に、前記第１のコードまたは前記第３のコードと、前記検索条件として指定された外字を前記所定の文字コードに応じたコードに変換して得られた第４のコードと、を比較することにより、前記記録部に記録されている各コンテンツの中から選択した検索対象のコンテンツの番組情報に前記検索条件として指定された外字が含まれているか否かに係る処理結果を取得する
ことを特徴とするコンテンツ検索方法。
【発明の詳細な説明】
【技術分野】
【０００１】
本発明の実施形態は、放送受信装置及びコンテンツ検索方法に関する。
【背景技術】
【０００２】
テレビジョン放送分野においては、地上デジタル放送、ＢＳデジタル放送及びＣＳデジタル放送（以降、現行放送と総称する）の方式とは異なる新たな方式の放送である、高度広帯域ＢＳデジタル放送及び高度広帯域ＣＳデジタル放送（以降、高度広帯域放送と総称する）のサービス開始が２０１８年１２月から予定されている。そのため、テレビジョン放送分野においては、高度広帯域放送に係る提案が近年行われている。
【０００３】
具体的には、例えば、特許文献１には、デジタル放送の放送波を受信して電子番組表を生成する受信装置において、当該放送波に含まれる映像コンテンツの最大解像度に応じて当該電子番組表の番組表示欄の表示領域を決定するような構成が開示されている。
【０００４】
ところで、現行放送及び高度広帯域放送においては、標準規格が互いに異なることに起因し、電子番組ガイド（ＥＰＧ）情報等の番組情報に含まれる各文字のうち、例えば、字幕放送を表す囲み文字等の外字が同じ符号化方式でも互いに異なるコードで表現されるような状況が発生し得る。
【０００５】
そのため、例えば、現行放送の放送波に由来するコンテンツと、高度広帯域放送の放送波に由来するコンテンツと、が混在している状態においては、外字を検索条件に含む場合の番組検索の利便性を確保することができないおそれがある。
【先行技術文献】
【特許文献】
【０００６】
【特許文献１】特開２０１７−１８４２１０号公報
【発明の概要】
【発明が解決しようとする課題】
【０００７】
実施形態は、互いに異なる複数種類の放送波に由来するコンテンツが混在している状態において、外字を検索条件に含む場合のコンテンツ検索の利便性を確保することが可能な放送受信装置及びコンテンツ検索方法を提供することを目的とする。
【課題を解決するための手段】
【０００８】
実施形態の放送受信装置は、文字とこの文字に対応するコードとが少なくとも一部で異なる第１の放送波と第２の放送波とを含む複数種類の放送波を受信する放送波受信部と、前記第１の放送波に由来するコンテンツと、前記第２の放送波に由来するコンテンツと、が混在するコンテンツ群の中から、ユーザにより指定された検索条件に該当するコンテンツを検索して検索結果を取得するための処理を行う検索処理部と、を有し、前記検索処理部は、前記コンテンツ群を構成するコンテンツの由来となった放送波に応じた異なる処理を行うことにより、前記検索条件として指定された外字が前記コンテンツ群を構成するコンテンツの番組情報に含まれているか否かに係る処理結果を取得する。
【発明の効果】
【０００９】
実施形態の放送受信装置及びコンテンツ検索方法によれば、互いに異なる複数種類の放送波に由来するコンテンツが混在している状態において、外字を検索条件に含む場合の番組検索の利便性を確保することができる。
【図面の簡単な説明】
【００１０】
【図１】実施形態に係る放送受信装置の構成を示すブロック図。
【図２】実施形態に係る放送受信装置において行われる動作の一例を説明するためのフローチャート。
【図３】実施形態に係る放送受信装置の動作に応じて表示される設定画面の一例を示す図。
【図４】実施形態に係る放送受信装置の動作に応じて表示される設定画面の一例を示す図。
【図５】実施形態に係る放送受信装置の動作に応じて表示される設定画面の一例を示す図。
【図６】実施形態に係る放送受信装置の動作に応じて表示される設定画面の一例を示す図。
【図７】実施形態の第１の変形例に係る放送受信装置において行われる動作の一例を説明するためのフローチャート。
【図８】実施形態の第１の変形例に係る放送受信装置において行われる動作の一例を説明するためのフローチャート。
【図９】実施形態の第２の変形例に係る放送受信装置において行われる動作の一例を説明するためのフローチャート。
【発明を実施するための形態】
【００１１】
以下、図面を参照して実施形態を説明する。
【００１２】
図１において、放送受信装置１は、制御部１０を備えている。制御部１０は、ＣＰＵ等を用いたプロセッサによって構成されて、ＲＯＭ１０ａに記憶されたプログラムに従いＲＡＭ１０ｂを用いて動作して各部を制御するものであってもよいし、ハードウェアの電子回路で機能の一部又は全部を実現するものであってもよい。また、制御部１０には、不揮発性メモリ１０ｃも設けられている。不揮発性メモリ１０ｃには、後述する放送信号から抽出した各種情報が記憶される。図１は、実施形態に係る放送受信装置の構成を示すブロック図である。
【００１３】
アンテナ２１Ａは、高度広帯域放送の放送波を受信して高度広帯域放送信号を放送受信装置１の入力端子２ａに供給する。入力端子２ａに入力された高度広帯域放送信号はチューナ部Ｔｕに供給される。
【００１４】
アンテナ２１Ｂは、ＢＳデジタル放送の放送波を受信してＢＳデジタル放送信号を放送受信装置１の入力端子２ｅに供給する。入力端子２ｅに入力されたＢＳデジタル放送信号はチューナ部Ｔｕに供給される。また、アンテナ２１Ｂは、ＣＳデジタル放送の放送波を受信してＣＳデジタル放送信号を放送受信装置１の入力端子２ｅに供給する。入力端子２ｅに入力されたＣＳデジタル放送信号はチューナ部Ｔｕに供給される。なお、本実施形態においては、アンテナ２１Ａ及びアンテナ２１Ｂが、高度広帯域放送及び現行放送のＢＳ／ＣＳデジタル放送信号の両方を受信可能な１つのアンテナにより構成されていてもよい。
【００１５】
アンテナ２１Ｃは、地上デジタル放送の放送波を受信して地上デジタル放送信号を放送受信装置１の入力端子２ｆに供給する。入力端子２ｆに入力された地上デジタル放送信号はチューナ部Ｔｕに供給される。
【００１６】
すなわち、アンテナ２１Ａ、２１Ｂ及び２１Ｃは、互いに異なる複数種類の放送波を受信する放送波受信部としての機能を有して構成されている。
【００１７】
チューナ部Ｔｕは、複数のチューナＴｕ１，Ｔｕ２，…（以下、これらｎ個のチューナＴｕを代表してチューナＴｕｎという）を有している。チューナＴｕｎは、制御部１０に制御されて、それぞれ入力された高度広帯域放送信号の中から所望のチャンネルの放送信号を選局し、当該選局した信号を信号処理部３に出力する。信号処理部３は、入力された放送信号を復調する。
【００１８】
なお、図１では各放送信号がアンテナを介して入力される例を示したが、放送信号の伝送路は特に限定されるものではなく、空中線を介さずインターネット回線を介して受信するＩＰ放送や、ケーブルテレビジョン放送網を介して受信するものであってもよい。
【００１９】
例えば、高度広帯域放送信号については、信号処理部３の復調によってＴＬＶ（Type Length Value）ストリームが得られる。信号処理部３は、ＴＬＶストリームに含まれるＩＰパケットを分離し、ＩＰパケット中に含まれる映像データ、音声データ、字幕データ、文字スーパー、アプリケーションデータ及びＥＣＭ（Entitlement Control Message），ＥＭＭ（Entitlement Management Message）を含む各種メッセージを抽出する。
【００２０】
また、信号処理部３は、ＢＳデジタル放送信号、ＣＳデジタル放送信号及び地上デジタル放送信号等の現行放送信号については、復調処理によってトランスポートストリーム（ＭＰＥＧ−２  Ｓｙｓｔｅｍｓ規格により多重されたトランスポートストリーム）を抽出する。信号処理部３は、トランスポートストリームから映像データ及び音声データを抽出すると共に、ＥＣＭ，ＥＭＭを含む各種メッセージを抽出するようになっている。
【００２１】
放送受信装置１にはＣＡＳモジュール１５が設けられている。ＣＡＳモジュール１５は、限定受信方式の制御のために用いられる。
【００２２】
なお、ＣＡＳモジュール１５は、放送受信装置１に内蔵されたチップ上に搭載されて構成される場合もあり、また、ＣＡＳモジュールが組み込まれた基板によって構成されて、放送受信装置１に設けた図示しないスロットに当該基板を挿入することで限定受信機能を実現する場合も考えられる。また、ＣＡＳモジュール１５は、高度広帯域放送の限定受信機能と現行放送の限定受信機能の両方の機能を有する場合や、高度広帯域放送の限定受信機能のみを備え、現行放送の限定受信機能については、ＩＣカード２３としてのＣＡＳカードにより実現する場合もある。
【００２３】
信号処理部３は、各放送方式の抽出された映像及び音声に対するデコード処理を行った後所定の信号処理を施し、映像データ及び音声データを得る。信号処理部３は、映像データ及び音声データをそれぞれグラフィック処理部４又は音声処理部７に与え、その他のデータを制御部１０に与える。
【００２４】
ＯＳＤ信号生成部５は、制御部１０から与えられた情報に基づいて、スーパーインポーズ表示するための画像情報（ＯＳＤ信号）を生成してグラフィック処理部４に供給する。グラフィック処理部４は、信号処理部３からのデジタルの映像データと、ＯＳＤ信号生成部５からのＧＵＩ（Graphical User Interface）に基づくウィンドウ描画とを管理して、映像データに基づく画像上にデータ放送やＧＵＩに基づく画像等を重ね合わせ、重ね合わせた画像を映像処理部６に送る。
【００２５】
例えば、グラフィック処理部４には、映像データの他、番組を取得するための各種データやＥＰＧ情報，字幕情報等が与えられ、グラフィック処理部４は、これら入力された情報に基づいてＥＰＧ，字幕等を表示するため画像生成処理を行うことができる。
【００２６】
映像処理部６は、制御部１０に制御されて、グラフィック処理部４からのデジタル映像信号を映像表示部８で表示可能なフォーマット（画素数、フレーム周波数、走査方式）に変換したり、表示色を任意に調整したりして、映像表示部８に出力する。これにより、映像表示部８の表示画面上において、映像を表示させることができる。
【００２７】
また、音声処理部７は、信号処理部３からのデジタルの音声データを、スピーカー９で再生可能なアナログ音声信号に変換した後、スピーカー９に出力して音声を再生させる。なお、放送受信装置がセット・トップ・ボックス等の場合には、映像表示部８やスピーカー９を備えている必要はない。
【００２８】
放送受信装置１にはカードインタフェース（Ｉ／Ｆ）１３、通信Ｉ／Ｆ１６、ＵＳＢ  Ｉ／Ｆ１７及びＨＤＭＩ  Ｉ／Ｆ１８が設けられている。カードＩ／Ｆ１３は、カードホルダ１４に装着されたＩＣカード２３と、制御部１０との間でデータの送受信を可能にする。例えば、ＩＣカード２３として現行デジタル放送に対応したＣＡＳカード（以下、Ｂ−ＣＡＳカードという）を採用した場合には、カードＩ／Ｆ１３は、現行放送のデスクランブルに関するデータの送受を行う。
【００２９】
通信Ｉ／Ｆ１６は、電話回線やＬＡＮ等の所定の通信路に対応したインタフェースであり、端子２ｂを介して図示しない外部機器に接続されて外部機器と制御部１０との間でデータの送受信を可能にする。また、ＨＤＭＩ  Ｉ／Ｆ１８は、ＨＤＭＩ（登録商標）規格に対応したインタフェースであり、端子２ｄを介して図示しない外部機器に接続されて外部機器からのＨＤＭＩ（登録商標）信号を受信して制御部１０に出力したり、制御部１０からのＨＤＭＩ（登録商標）信号を、端子２ｂを介して外部機器に出力したりすることができる。
【００３０】
ＵＳＢ  Ｉ／Ｆ１７は、ＵＳＢ規格に対応したインタフェースであり、端子２ｃを介してＨＤＤ２４等のＵＳＢ対応機器に接続されてＵＳＢ対応機器と制御部１０との間でデータの送受信を可能にする。例えば、端子２ｃにＨＤＤ２４が接続された場合には、制御部１０は、ＵＳＢ  Ｉ／Ｆ１７及び端子２ｃを介して映像データをＨＤＤ２４に与えて記録させることが可能である。
【００３１】
なお、放送受信装置１に内蔵した図示しないＨＤＤや光ディスクディスクドライブ、ＳＤ（登録商標）カードリーダライタ等によって記録部を構成した場合には、制御部１０は、放送番組の信号をこれらの各記録部に記録することも可能である。
【００３２】
例えば、制御部１０は、ユーザによって放送番組の録画が指定された場合には、信号処理部３によって取得されたデスクランブル後の映像データ及び音声データと、当該放送番組の由来となった放送波の種類を特定可能な情報を有する番組情報と、を含む番組データをＵＳＢ  Ｉ／Ｆ１７を介してＨＤＤ２４に与えて記録させることができるようになっている。また、制御部１０は、放送番組の記録をスタンバイ状態（機能待機状態）においても実行することができるようになっている。なお、以降においては、説明の便宜上、ＨＤＤ２４に記録された番組データをコンテンツとも称するものとする。すなわち、ＨＤＤ２４に記録されたコンテンツには、当該コンテンツの由来となった放送波の種類を特定可能な情報を有する番組情報が含まれている。
【００３３】
放送受信装置１には操作部１１及び受信部１２が設けられている。操作部１１は図示しないスイッチ、キー、ボタン等によって構成されて、ユーザ操作に基づく操作信号を制御部１０に出力する。また、受信部１２は、リモートコントローラ２２からユーザ操作に基づく操作信号を受信し、受信した操作信号を制御部１０に出力する。制御部１０は、操作部１１及び受信部１２からの操作信号に基づいて、放送受信装置１の各部を制御する。例えば、リモートコントローラ２２のアップ／ダウンキーやワンタッチ選局キー等によって受信チャンネル番号を指定する操作が行われた場合には、各チューナＴｕｎは、リモコン制御部７からの操作信号に応じた選局動作を行う。
【００３４】
操作部１１及びリモートコントローラ２２には、放送受信装置１の電源のオン，オフ操作を行うための図示しない電源スイッチが配設されている。放送受信装置１には、各部に電源を供給するための図示しない電源回路が設けられており、制御部１０は、電源スイッチが操作されることで、各部への電源供給を制御して、スタンバイ状態に設定するようになっている。
【００３５】
なお、スタンバイ状態では、少なくとも図１のグラフィック処理部４、ＯＳＤ信号生成部５、映像処理部６、音声処理部７、映像表示部８及びスピーカー９については動作停止状態となり、制御部１０は動作していてもユーザは放送番組の視聴はできない。なお、本実施の形態を高度広帯域放送を受信して映像及び音声を出力するデコーダに適用した場合には、スタンバイ状態は、映像及び音声データの出力停止状態を意味する。
【００３６】
制御部１０は、スタンバイ状態において、例えば、以下のように、各種機能を実現することが可能である。
【００３７】
例えば、制御部１０は、スタンバイ状態であっても、告知情報に基づいて、自身のタイマーにてダウンロードコンテンツ情報の受信に必要な回路に電源を供給し、ダウンロードコンテンツをダウンロードし、ダウンロード終了時に立ち上げた電源を切る電源制御機能を有する。また、制御部１０は、電源スイッチのオフ操作が行われてスタンバイ状態に移行する場合であっても、必要な回路の通電を保持し、ダウンロードコンテンツをダウンロードし、ダウンロード終了時に電源を切る電源制御機能を有する。
【００３８】
また、制御部１０は、ＥＭＭ取得のために、上述した通電制御機能と同様の動作を行うことも可能である。
【００３９】
また、制御部１０は、スタンバイ状態において、チャンネルサーチによるＥＰＧ情報の取得が可能である。さらに、制御部１０は、ＨＤＤ２４に記録されたコンテンツに含まれる番組情報を取得することができるように構成されている。なお、制御部１０により取得された番組情報は、例えば、不揮発性メモリ１０ｃに格納される。
【００４０】
また、制御部１０は、スタンバイ状態においてＴＭＣＣを受信し、ＴＭＣＣの起動制御ビットが１の場合も受信チャンネルのＭＰＴにある緊急情報記述子（ＭＨ）を監視することで、緊急警報放送（ＥＷＳ）の受信処理を行うことが出来る。
【００４１】
また、制御部１０は、受信者による各種予約動作（番組予約など）を実行することができる。すなわち、制御部１０は、記録制御部としての機能を有し、アンテナ２１Ａ、２１Ｂ及び２１Ｃにおいて受信される複数種類の放送波のうちのいずれかに由来する記録対象のコンテンツを記録部に記録させるための動作を行うように構成されている。
【００４２】
また、制御部１０の不揮発性メモリ１０ｃには、所定の文字コードとは異なる文字コードに応じたコードを当該所定の文字コードに応じたコードに変換する際に用いられる文字コード変換テーブルが格納されている。
【００４３】
具体的には、制御部１０の不揮発性メモリ１０ｃには、例えば、高度広帯域放送の文字コードとは異なる文字コードに応じたＵＴＦ−８のコードを高度広帯域放送の文字コードに応じたＵＴＦ−８のコードに変換する際に用いられる文字コード変換テーブルＣＴＡが格納されている。
【００４４】
次に、本実施形態の作用について、図２〜図６を参照しつつ説明する。なお、本実施形態においては、図示及び説明の便宜上、外字においてＡＲＩＢ  ＳＴＤ−Ｂ２４で規定される追加記号のうち番組表で使用されるような囲み文字を番組記号とも称するものとする。また、本実施形態においては、現行放送の放送波に由来するコンテンツと、高度広帯域放送の放送波に由来するコンテンツと、が混在した状態でＨＤＤ２４に記録されている場合を例に挙げて説明を行う。また、本実施形態においては、簡単のため、ＨＤＤ２４に記録されている全てのコンテンツの番組情報に番組記号を示すコードが含まれているものとして説明を行う。図２は、実施形態に係る放送受信装置において行われる動作の一例を説明するためのフローチャートである。図３〜図６は、実施形態に係る放送受信装置の動作に応じて表示される設定画面の一例を示す図である。
【００４５】
ユーザは、操作部１１またはリモートコントローラ２２において、ＨＤＤ２４に記録されている所望のコンテンツの検索に用いる番組検索画面を表示させるための操作を行う。
【００４６】
制御部１０は、操作部１１または受信部１２から出力される操作信号に応じ、ＨＤＤ２４に記録されているコンテンツの検索時に指定可能な１つ以上の検索項目を含む検索項目情報を不揮発性メモリ１０ｃから読み込むとともに、当該読み込んだ検索項目情報に応じた番組検索画面を生成して映像表示部８に表示させるための制御をＯＳＤ信号生成部５及び映像処理部６に対して行う。そして、このような制御部１０の動作によれば、例えば、図３に示すような、ＨＤＤ２４に記録されているコンテンツの検索に用いられる検索条件を検索項目毎にユーザに指定させることが可能な複数の検索条件指定ボックスと、当該複数の検索条件指定ボックスにおいて指定された内容で検索を開始させるための検索開始ボタンと、を有する番組検索画面ＳＧＡが映像表示部８に表示される。なお、番組検索画面ＳＧＡ及び後述の番組検索画面ＳＧＣにおいて「指定なし」が指定されている検索項目については、ＨＤＤ２４に記録されているコンテンツの検索時の検索条件から除外される。
【００４７】
ユーザは、例えば、囲み文字を検索条件として指定する場合に、操作部１１またはリモートコントローラ２２において、番組検索画面ＳＧＡに含まれる各検索条件指定ボックスの中から番組記号に対応する検索条件指定ボックスを指定するための操作を行う。
【００４８】
制御部１０は、操作部１１または受信部１２から出力される操作信号に応じ、番組検索画面ＳＧＡに含まれる各検索条件指定ボックスの中から番組記号に対応する検索条件指定ボックスが指定された際に選択可能な１つ以上の選択項目を含む選択項目情報を不揮発性メモリ１０ｃから読み込むとともに、当該読み込んだ選択項目情報に応じた番組記号選択画面を生成して映像表示部８に表示させるための制御をＯＳＤ信号生成部５及び映像処理部６に対して行う。そして、このような制御部１０の動作によれば、例えば、図４に示すような、ＨＤＤ２４に記録されているコンテンツを検索する際の検索条件に含まれる番組記号に相当する囲み文字を、複数種類の囲み文字の中からユーザに選択させることが可能な番組記号選択画面ＳＧＢが映像表示部８に表示される。
【００４９】
ユーザは、例えば、字幕放送を表す囲み文字を検索条件として指定する場合に、操作部１１またはリモートコントローラ２２において、番組記号選択画面ＳＧＢに含まれる各選択項目の中から「字」の文字の周囲を四角で囲んだ文字を含む選択項目を選択するための操作を行う。
【００５０】
制御部１０は、操作部１１または受信部１２から出力される操作信号に応じ、番組記号選択画面ＳＧＢにおいて選択された選択項目を特定するとともに、当該特定した選択項目を示す文字列を番組検索画面ＳＧＡの番組記号に対応する検索条件指定ボックスに提示させるための制御をＯＳＤ信号生成部５及び映像処理部６に対して行う。そして、このような制御部１０の動作によれば、例えば、図５に示すような、番組記号に対応する検索条件指定ボックス内の文字列のみが番組検索画面ＳＧＡとは異なる番組検索画面ＳＧＣが映像表示部８に表示される。
【００５１】
ユーザは、例えば、番組検索画面ＳＧＣに含まれる各検索条件指定ボックスにおける検索条件の指定を完了した際に、操作部１１またはリモートコントローラ２２において、当該番組検索画面ＳＧＣの検索開始ボタンを押下する操作を行うことにより、ＨＤＤ２４に記録されているコンテンツの検索を開始させる。
【００５２】
制御部１０は、操作部１１または受信部１２から出力される操作信号に応じ、番組検索画面ＳＧＣの検索開始ボタンが押下されたことを検知した際に、当該番組検索画面ＳＧＣの番組記号に対応する検索条件指定ボックスにおいて検索条件が指定されているか否かを判定するための処理を行う（図２のステップＳ１）。
【００５３】
制御部１０は、番組検索画面ＳＧＣの番組記号に対応する検索条件指定ボックスにおいて検索条件が指定されていないとの判定結果を得た場合（Ｓ１：ＮＯ）に、当該番組記号に対応する検索条件指定ボックス以外の各検索条件指定ボックスにおいて指定された検索条件に基づいてＨＤＤ２４に記録されているコンテンツを検索して検索結果を取得するための処理を行う。そして、制御部１０は、このような処理を経て取得した検索結果に応じた検索結果画面を生成して映像表示部８に表示させるための制御をＯＳＤ信号生成部５及び映像処理部６に対して行う（図２のステップＳ８）。
【００５４】
制御部１０は、番組検索画面ＳＧＣの番組記号に対応する検索条件指定ボックスにおいて検索条件が指定されているとの判定結果を得た場合（Ｓ１：ＹＥＳ）に、不揮発性メモリ１０ｃに格納されている文字コード変換テーブルＣＴＡを参照することにより、当該検索条件として指定された番組記号（例えば字幕放送を表す囲み文字）のコードを高度広帯域放送の文字コードに応じたＵＴＦ−８のコードＣＤＡに変換するための処理を行う（図２のステップＳ２）。
【００５５】
制御部１０は、ＨＤＤ２４に記録されているコンテンツの中から、後述の図２のステップＳ６の処理を行っていない未処理のコンテンツを検索対象のコンテンツとして選択するための処理を行う（図２のステップＳ３）。
【００５６】
制御部１０は、図２のステップＳ３の処理において選択した検索対象のコンテンツの番組情報に基づき、当該検索対象のコンテンツが現行放送の放送波に由来するものであるか否かを判定するための処理を行う（図２のステップＳ４）。すなわち、制御部１０は、図２のステップＳ４において、検索対象のコンテンツが複数種類の放送波のうちのどの種類の放送波に由来するものであるかを特定するための処理を行っている。なお、本実施形態においては、制御部１０が、例えば、検索対象のコンテンツの番組情報に含まれるチャンネル情報（ネットワークＩＤ）に基づき、当該検索対象のコンテンツが現行放送の放送波に由来するものであるか否かを判定するようにしてもよい。また、本実施形態においては、制御部１０が、例えば、検索対象のコンテンツをＨＤＤ２４に記録させる際に、当該検索対象のコンテンツの由来となった放送波の種類を示すデータを併せてＨＤＤ２４に記録させるとともに、当該データに基づき、当該検索対象のコンテンツが現行放送の放送波に由来するものであるか否かを判定するようにしてもよい。
【００５７】
制御部１０は、図２のステップＳ３の処理において選択した検索対象のコンテンツが現行放送の放送波に由来するものであるとの判定結果を得た場合（Ｓ４：ＹＥＳ）に、不揮発性メモリ１０ｃに格納されている文字コード変換テーブルＣＴＡを参照することにより、当該コンテンツの番組情報に含まれる番組記号を示すコードＣＤＢを、高度広帯域放送の文字コードに応じたＵＴＦ−８のコードＣＤＣに変換するための処理を行う（図２のステップＳ５）。すなわち、図２のステップＳ３の処理において選択された検索対象のコンテンツが現行放送の放送波に由来するものであることが制御部１０により特定された場合には、当該検索対象のコンテンツの番組情報に含まれる番組記号を示すコードが、高度広帯域放送の放送波において任意の番組記号を符号化する際に用いられた文字コード（ＩＳＯ／ＩＥＣ  １０６４６の追加多言語面の符号値の割り当て方法）に応じたＵＴＦ−８のコードに変換される。そして、制御部１０は、図２のステップＳ５の処理により得られたコードＣＤＣを用いて後述の図２のステップＳ６の処理を行う。
【００５８】
制御部１０は、図２のステップＳ３の処理において選択した検索対象のコンテンツが高度広帯域放送の放送波に由来するものであるとの判定結果を得た場合（Ｓ４：ＮＯ）に、当該コンテンツの番組情報に含まれる番組記号を示すコードＣＤＤを維持したまま、後述の図２のステップＳ６の処理を続けて行う。すなわち、図２のステップＳ３の処理において選択された検索対象のコンテンツが高度広帯域放送の放送波に由来するものであることが制御部１０により特定された場合には、当該検索対象のコンテンツの番組情報に含まれる番組記号を示すコードが、高度広帯域放送の放送波において任意の番組記号を符号化する際に用いられた文字コード（ＩＳＯ／ＩＥＣ  １０６４６の追加多言語面の符号値の割り当て方法）に応じたＵＴＦ−８のコードのまま維持される。
【００５９】
制御部１０は、図２のステップＳ２の処理により得られたコードＣＤＡと、コードＣＤＣまたはコードＣＤＤと、を比較するための処理を行う（図２のステップＳ６）とともに、当該処理により得られた比較結果に応じたデータを生成してＲＡＭ１０ｂに格納する。すなわち、図２のステップＳ５の処理を経て図２のステップＳ６の処理が行われた場合には、図２のステップＳ３の処理において選択された検索対象のコンテンツを示す情報と、コードＣＤＡとコードＣＤＣとが一致するか否かに係る比較結果を示す情報と、が関連付けられたデータに相当する、番組検索画面ＳＧＣにおいて検索条件として指定された番組記号が検索対象のコンテンツの番組情報に含まれているか否かに係る処理結果を示すデータがＲＡＭ１０ｂに格納される。また、図２のステップＳ５の処理を経ずに図２のステップＳ６の処理が行われた場合には、図２のステップＳ３の処理において選択された検索対象のコンテンツを示す情報と、コードＣＤＡとコードＣＤＤとが一致するか否かに係る比較結果を示す情報と、が関連付けられたデータに相当する、番組検索画面ＳＧＣにおいて検索条件として指定された番組記号が検索対象のコンテンツの番組情報に含まれているか否かに係る処理結果を示すデータがＲＡＭ１０ｂに格納される。
【００６０】
制御部１０は、ＨＤＤ２４に記録されている全てのコンテンツに対し、図２のステップＳ６の処理を行ったか否かを判定するための処理を行う（図２のステップＳ７）。
【００６１】
制御部１０は、ＨＤＤ２４に記録されている全てのコンテンツの中に、図２のステップＳ６の処理を行っていないコンテンツが存在するとの判定結果を得た場合（Ｓ７：ＮＯ）に、再度図２のステップＳ３以降の処理を行う。
【００６２】
制御部１０は、ＨＤＤ２４に記録されている全てのコンテンツに対し、図２のステップＳ６の処理を行ったとの判定結果を得た場合（Ｓ７：ＹＥＳ）に、ＲＡＭ１０ｂに格納されたデータに基づき、番組検索画面ＳＧＣの各検索条件指定ボックスにおいて指定された検索条件に該当するコンテンツを検索結果として取得するとともに、当該取得した検索結果を一覧表示するような検索結果画面を生成して映像表示部８に表示させるための制御をＯＳＤ信号生成部５及び映像処理部６に対して行う（図２のステップＳ８）。
【００６３】
具体的には、制御部１０は、ＲＡＭ１０ｂに格納されたデータに基づき、ＨＤＤ２４に記録されている全てのコンテンツの中から、コードＣＤＡとコードＣＤＣとが一致するとの比較結果が得られたコンテンツと、コードＣＤＡとコードＣＤＤとが一致するとの比較結果が得られたコンテンツと、をそれぞれ特定するための処理を行う。そして、制御部１０は、前述の処理により特定したコンテンツを一覧表示するような検索結果画面を生成して映像表示部８に表示させるための制御をＯＳＤ信号生成部５及び映像処理部６に対して行う。
【００６４】
すなわち、制御部１０は、検索処理部としての機能を有し、アンテナ２１Ａ、２１Ｂ及び２１Ｃにおいて受信される複数種類の放送波のうちのいずれかに由来する複数のコンテンツが混在するコンテンツ群の中から、ユーザにより指定された検索条件に該当するコンテンツを検索して検索結果を取得するための処理を行う。また、制御部１０は、検索条件として外字が指定された場合に、前述のコンテンツ群の中から選択した検索対象のコンテンツが複数種類の放送波のうちのどの種類の放送波に由来するものであるかを特定し、当該特定した種類の放送波において任意の外字を符号化する際に用いられた文字コードに応じた異なる処理を行うことにより、当該検索条件として指定された外字が当該検索対象のコンテンツの番組情報に含まれているか否かに係る処理結果を取得する。
【００６５】
図２の一連の処理によれば、検索条件として指定された番組記号を示すコードと、現行放送の放送波に由来するコンテンツの番組情報に含まれる番組記号を示すコードと、高度広帯域放送の放送波に由来するコンテンツの番組情報に含まれる番組記号を示すコードと、を高度広帯域放送の文字コードに応じたＵＴＦ−８のコードに揃えつつ、ＨＤＤ２４に記録されているコンテンツの検索が行われる。また、図２の一連の処理によれば、例えば、字幕放送を表す囲み文字のみが検索条件として指定された状態でＨＤＤ２４に記録されているコンテンツに対する検索が行われた場合に、図６に示すような検索結果画面ＳＧＤが映像表示部８に表示される。図６の検索結果画面ＳＧＤには、例えば、番組検索画面ＳＧＣにおいて指定された検索条件に該当するコンテンツのタイトルと、当該コンテンツの解像度と、当該コンテンツが放送された放送波の種類と、当該コンテンツが放送されたチャンネル（「日付等」欄の冒頭に記載の３桁の数字）と、当該コンテンツが放送（記録）された日付と、が含まれている。
【００６６】
ここで、図６の検索結果画面ＳＧＤに含まれる「放送波」欄の「地デジ」は地上デジタル放送の放送波で放送されたコンテンツであることを表し、当該「放送波」欄の「ＢＳ  ４Ｋ」は高度ＢＳデジタル放送の放送波で放送されたコンテンツであることを表し、当該「放送波」欄の「ＣＳ」はＣＳデジタル放送の放送波で放送されたコンテンツであることを表し、当該「放送波」欄の「ＢＳ」はＢＳデジタル放送の放送波で放送されたコンテンツであることを表し、当該「放送波」欄の「ＣＳ  ４Ｋ」は高度広帯域ＣＳデジタル放送の放送波で放送されたコンテンツであることを表している。すなわち、本実施形態によれば、字幕放送を表す囲み文字のみを検索条件として指定してＨＤＤ２４に記録されているコンテンツを検索した場合の検索結果画面として、現行放送の放送波に由来する字幕放送のコンテンツと、高度広帯域放送の放送波に由来する字幕放送のコンテンツと、を一度に確認可能な検索結果画面ＳＧＤを映像表示部８に表示させることができる。従って、本実施形態によれば、互いに異なる複数種類の放送波に由来するコンテンツが混在している状態において、外字を検索条件に含む場合の番組検索の利便性を確保することができる。
【００６７】
なお、本実施形態においては、例えば、現行放送の文字コードとは異なる文字コードに応じたＵＴＦ−８のコードを現行放送の文字コード（ＡＲＩＢ  ＳＴＤ−Ｂ２４に規定されている、ＩＳＯ／ＩＥＣ  １０６４６の私用領域の符号値の割り当て方法）に応じたＵＴＦ−８のコードに変換する際に用いられる文字コード変換テーブルＣＴＢが不揮発性メモリ１０ｃに格納されている場合に、当該文字コード変換テーブルＣＴＢに応じた変換処理及び比較処理等が行われるように図２のステップＳ２〜ステップＳ６の処理を変形してもよい。そして、このような構成においては、検索条件として指定された番組記号を示すコードと、現行放送の放送波に由来するコンテンツの番組情報に含まれる番組記号を示すコードと、高度広帯域放送の放送波に由来するコンテンツの番組情報に含まれる番組記号を示すコードと、を現行放送の文字コードに応じたＵＴＦ−８のコードに揃えつつ、ＨＤＤ２４に記録されているコンテンツの検索が行われる。
【００６８】
また、本実施形態においては、例えば、現行放送の文字コード及び高度広帯域放送の文字コードのうちのいずれかの文字コードに応じたＵＴＦ−８のコードをＵＴＦ−８以外の所定の符号化方式（例えばＥＵＣ−ＪＰ等）のコードに変換する際に用いられる文字コード変換テーブルＣＴＣが不揮発性メモリ１０ｃに格納されている場合に、当該文字コード変換テーブルＣＴＣに応じた変換処理及び比較処理等が行われるように図２のステップＳ２〜ステップＳ６の処理を変形してもよい。そして、このような構成においては、検索条件として指定された番組記号を示すコードと、現行放送の放送波に由来するコンテンツの番組情報に含まれる番組記号を示すコードと、高度広帯域放送の放送波に由来するコンテンツの番組情報に含まれる番組記号を示すコードと、をＵＴＦ−８とは異なる所定の符号化方式（例えばＥＵＣ−ＪＰ等）に応じたコードに揃えつつ、ＨＤＤ２４に記録されているコンテンツの検索が行われる。
【００６９】
また、本実施形態は、ＨＤＤ２４に記録されているコンテンツの検索時に限らず、例えば、不揮発性メモリ１０ｃに記録されている電子番組表の検索時においても、略同様に適用することができる。すなわち、本実施形態は、既に放送されたコンテンツを検索する際に限らず、将来放送されるコンテンツを検索する際においても、略同様に適用することができる。また、本実施形態によれば、検索対象のコンテンツが互いに異なる複数種類の放送波のうちのどの種類の放送波に由来するコンテンツであるかを番組情報に基づいて特定可能な状態において、コンテンツの検索が行われるようにすればよい。
【００７０】
本実施形態においては、ＨＤＤ２４に記録されているコンテンツを１つずつ検索して検索結果を得るものに限らず、例えば、ＨＤＤ２４に記録されている複数のコンテンツをまとめて検索して検索結果を得ることができるようにしてもよい。
【００７１】
具体的には、例えば、制御部１０が、前述のコードＣＤＣ及びコードＣＤＤに基づき、ＨＤＤ２４に記録されている現行放送の放送波に由来するコンテンツと、ＨＤＤ２４に記録されている高度広帯域放送の放送波に由来するコンテンツと、を番組記号毎に分類したデータベースまたはテーブル等を予め作成して不揮発性メモリ１０ｃに格納させるとともに、当該データベースまたは当該テーブル等に基づき、ユーザにより検索条件として指定された番組記号を含むコンテンツを検索結果として取得するようにしてもよい。そして、このような動作は、将来放送される、現行放送の放送波に由来するコンテンツと高度広帯域放送の放送波に由来するコンテンツとから、所望のコンテンツを検索する際においても、略同様に適用することができる。
【００７２】
本実施形態においては、図２に示したような一連の処理が行われる代わりに、図７及び図８に示すような処理が併せて行われるようにしてもよい。このような本実施形態の第１の変形例に係る作用について、以下に説明する。なお、以降においては、既述の動作等を適用可能な部分に関する具体的な説明を適宜省略するものとする。図７及び図８は、実施形態の第１の変形例に係る放送受信装置において行われる動作の一例を説明するためのフローチャートである。
【００７３】
制御部１０は、例えば、録画予約等に応じた記録対象のコンテンツをＨＤＤ２４に記録させる際に、当該コンテンツの番組情報を取得するとともに、当該取得した番組情報に番組記号が含まれているか否かを判定するための処理を行う（図７のステップＳ１１）。
【００７４】
制御部１０は、記録対象のコンテンツの番組情報に番組記号が含まれていないとの判定結果を得た場合（Ｓ１１：ＮＯ）に、当該コンテンツをそのままＨＤＤ２４に記録させる。
【００７５】
制御部１０は、記録対象のコンテンツの番組情報に番組記号が含まれているとの判定結果を得た場合（Ｓ１１：ＹＥＳ）に、さらに、当該番組情報に基づいて当該コンテンツが現行放送の放送波に由来するものであるか否かを判定するための処理を行う（図７のステップＳ１２）。すなわち、制御部１０は、図７のステップＳ１２において、記録対象のコンテンツが複数種類の放送波のうちのどの種類の放送波に由来するものであるかを特定するための処理を行っている。
【００７６】
制御部１０は、記録対象のコンテンツが現行放送の放送波に由来するものであるとの判定結果を得た場合（Ｓ１２：ＹＥＳ）に、不揮発性メモリ１０ｃに格納されている文字コード変換テーブルＣＴＡを参照することにより、当該コンテンツの番組情報に含まれる番組記号を示すコードＣＤＥを、高度広帯域放送の文字コードに応じたＵＴＦ−８のコードＣＤＦに変換するための処理を行う（図７のステップＳ１３）。そして、制御部１０は、図７のステップＳ１３の処理を施した番組情報を含むコンテンツをＨＤＤ２４に記録させる。すなわち、記録対象のコンテンツが現行放送の放送波に由来するものであることが制御部１０により特定された場合には、当該コンテンツの番組情報に含まれる番組記号を示すコードが、高度広帯域放送の放送波において任意の番組記号を符号化する際に用いられた文字コード（ＩＳＯ／ＩＥＣ  １０６４６の追加多言語面の符号値の割り当て方法）に応じたＵＴＦ−８のコードに変換された状態でＨＤＤ２４に記録される。
【００７７】
制御部１０は、記録対象のコンテンツが高度広帯域放送の放送波に由来するものであるとの判定結果を得た場合（Ｓ１２：ＮＯ）に、当該コンテンツの番組情報に含まれる番組記号を示すコードＣＤＧを維持したまま当該コンテンツをＨＤＤ２４に記録させる。すなわち、記録対象のコンテンツが高度広帯域放送の放送波に由来するものであることが制御部１０により特定された場合には、当該コンテンツの番組情報に含まれる番組記号を示すコードが、高度広帯域放送の放送波において任意の番組記号を符号化する際に用いられた文字コード（ＩＳＯ／ＩＥＣ  １０６４６の追加多言語面の符号値の割り当て方法）に応じたＵＴＦ−８のコードのまま維持された状態でＨＤＤ２４に記録される。
【００７８】
その後、制御部１０は、操作部１１または受信部１２から出力される操作信号に応じ、番組検索画面ＳＧＣの検索開始ボタンが押下されたことを検知した際に、当該番組検索画面ＳＧＣの番組記号に対応する検索条件指定ボックスにおいて検索条件が指定されているか否かを判定するための処理を行う（図８のステップＳ２１）。
【００７９】
制御部１０は、番組検索画面ＳＧＣの番組記号に対応する検索条件指定ボックスにおいて検索条件が指定されていないとの判定結果を得た場合（Ｓ２１：ＮＯ）に、当該番組記号に対応する検索条件指定ボックス以外の各検索条件指定ボックスにおいて指定された検索条件に基づいてＨＤＤ２４に記録されているコンテンツを検索して検索結果を取得するための処理を行う。そして、制御部１０は、このような処理を経て取得した検索結果に応じた検索結果画面を生成して映像表示部８に表示させるための制御をＯＳＤ信号生成部５及び映像処理部６に対して行う（図８のステップＳ２６）。
【００８０】
制御部１０は、番組検索画面ＳＧＣの番組記号に対応する検索条件指定ボックスにおいて検索条件が指定されているとの判定結果を得た場合（Ｓ２１：ＹＥＳ）に、不揮発性メモリ１０ｃに格納されている文字コード変換テーブルＣＴＡを参照することにより、当該検索条件として指定された番組記号（例えば字幕放送を表す囲み文字）に対応するコードを高度広帯域放送の文字コードに応じたＵＴＦ−８のコードＣＤＨに変換するための処理を行う（図８のステップＳ２２）。
【００８１】
制御部１０は、ＨＤＤ２４に記録されているコンテンツの中から、後述の図８のステップＳ２４の処理を行っていない未処理のコンテンツを検索対象のコンテンツとして選択するための処理を行う（図８のステップＳ２３）。
【００８２】
制御部１０は、図８のステップＳ２２の処理により得られたコードＣＤＨと、コードＣＤＦまたはコードＣＤＧと、を比較するための処理を行う（図８のステップＳ２４）とともに、当該処理により得られた比較結果に応じたデータを生成してＲＡＭ１０ｂに格納する。すなわち、図７のステップＳ１３の処理を経て図８のステップＳ２４の処理が行われた場合には、図８のステップＳ２３の処理において選択されたコンテンツを示す情報に含まれるコードＣＤＦとコードＣＤＨとが一致するか否かに係る比較結果を示す情報と、を関連付けたデータに相当する、番組検索画面ＳＧＣにおいて検索条件として指定された番組記号が検索対象のコンテンツの番組情報に含まれているか否かに係る処理結果を示すデータがＲＡＭ１０ｂに格納される。また、図７のステップＳ１３の処理を経ずに図８のステップＳ２４の処理が行われた場合には、図８のステップＳ２３の処理において選択されたコンテンツを示す情報に含まれるコードＣＤＧとコードＣＤＨとが一致するか否かに係る比較結果を示す情報と、を関連付けたデータに相当する、番組検索画面ＳＧＣにおいて検索条件として指定された番組記号が検索対象のコンテンツの番組情報に含まれているか否かに係る処理結果を示すデータがＲＡＭ１０ｂに格納される。
【００８３】
制御部１０は、ＨＤＤ２４に記録されている全てのコンテンツに対し、図８のステップＳ２４の処理を行ったか否かを判定するための処理を行う（図８のステップＳ２５）。
【００８４】
制御部１０は、ＨＤＤ２４に記録されている全てのコンテンツの中に、図８のステップＳ２４の処理を行っていないコンテンツが存在するとの判定結果を得た場合（Ｓ２５：ＮＯ）に、図８のステップＳ２３以降の処理を再度行う。
【００８５】
制御部１０は、ＨＤＤ２４に記録されている全てのコンテンツに対し、図８のステップＳ２４の処理を行ったとの判定結果を得た場合（Ｓ２５：ＹＥＳ）に、ＲＡＭ１０ｂに格納されたデータに基づき、番組検索画面ＳＧＣの各検索条件指定ボックスにおいて指定された検索条件に該当するコンテンツを一覧表示するような検索結果画面を生成して映像表示部８に表示させるための制御をＯＳＤ信号生成部５及び映像処理部６に対して行う（図８のステップＳ２６）。
【００８６】
具体的には、制御部１０は、ＲＡＭ１０ｂに格納されたデータに基づき、ＨＤＤ２４に記録されている全てのコンテンツの中から、コードＣＤＨとコードＣＤＦとが一致するとの処理結果が得られたコンテンツと、コードＣＤＨとコードＣＤＧとが一致するとの処理結果が得られたコンテンツと、をそれぞれ特定するための処理を行う。そして、制御部１０は、前述の処理により特定したコンテンツを一覧表示するような検索結果画面を生成して映像表示部８に表示させるための制御をＯＳＤ信号生成部５及び映像処理部６に対して行う。
【００８７】
図７の処理によれば、現行放送の放送波に由来するコンテンツの番組情報に含まれる番組記号を示すコードと、高度広帯域放送の放送波に由来するコンテンツの番組情報に含まれる番組記号を示すコードと、を高度広帯域放送の文字コードに応じたＵＴＦ−８のコードに揃えた状態でＨＤＤ２４へのコンテンツの記録が行われる。また、図８の処理によれば、検索条件として指定された番組記号を示すコードと、図７の処理を経て記録されたコンテンツの番組情報に含まれる番組記号を示すコードと、が高度広帯域放送の文字コードに応じたＵＴＦ−８のコードに予め揃えられた状態でＨＤＤ２４に記録されているコンテンツに対して検索が行われる。また、図７及び図８の処理によれば、例えば、字幕放送を表す囲み文字のみが検索条件として指定された状態でＨＤＤ２４に記録されているコンテンツに対する検索が行われた場合に、図６に示したような検索結果画面ＳＧＤが映像表示部８に表示される。従って、本変形例によれば、互いに異なる複数種類の放送波に由来するコンテンツが混在している状態において、外字を検索条件に含む場合の番組検索の利便性を確保することができる。
【００８８】
本実施形態においては、図２に示したような一連の処理が行われる代わりに、図９に示すような一連の処理が行われるようにしてもよい。このような本実施形態の第２の変形例に係る作用について、以下に説明する。なお、本変形例においては、現行放送の放送波において任意の番組記号を符号化する際に用いられたＡＲＩＢ  ＳＴＤ−Ｂ２４に規定されている、ＩＳＯ／ＩＥＣ  １０６４６の私用領域の符号値の割り当て方法によるコードで示される番組記号の種類を特定可能な文字コード対応表ＭＬＡが不揮発性メモリ１０ｃに予め格納されているとともに、高度広帯域放送の放送波において任意の番組記号を符号化する際に用いられたＩＳＯ／ＩＥＣ  １０６４６の追加多言語面の符号値の割り当て方法によるコードで示される番組記号の種類を特定可能な文字コード対応表ＭＬＢが不揮発性メモリ１０ｃに予め格納されている場合を例に挙げて説明する。図９は、実施形態の第２の変形例に係る放送受信装置において行われる動作の一例を説明するためのフローチャートである。
【００８９】
制御部１０は、操作部１１または受信部１２から出力される操作信号に応じ、番組検索画面ＳＧＣの検索開始ボタンが押下されたことを検知した際に、当該番組検索画面ＳＧＣの番組記号に対応する検索条件指定ボックスにおいて検索条件が指定されているか否かを判定するための処理を行う（図９のステップＳ３１）。
【００９０】
制御部１０は、番組検索画面ＳＧＣの番組記号に対応する検索条件指定ボックスにおいて検索条件が指定されていないとの判定結果を得た場合（Ｓ３１：ＮＯ）に、当該番組記号に対応する検索条件指定ボックス以外の各検索条件指定ボックスにおいて指定された検索条件に基づいてＨＤＤ２４に記録されているコンテンツを検索して検索結果を取得するための処理を行う。そして、制御部１０は、このような処理を経て取得した検索結果に応じた検索結果画面を生成して映像表示部８に表示させるための制御をＯＳＤ信号生成部５及び映像処理部６に対して行う（図９のステップＳ３８）。
【００９１】
制御部１０は、番組検索画面ＳＧＣの番組記号に対応する検索条件指定ボックスにおいて検索条件が指定されているとの判定結果を得た場合（Ｓ３１：ＹＥＳ）に、当該検索条件として指定された番組記号ＰＳＡを特定した（図９のステップＳ３２）後、後述の図９のステップＳ３３の処理を続けて行う。
【００９２】
制御部１０は、ＨＤＤ２４に記録されているコンテンツの中から、後述の図９のステップＳ３５及びステップＳ３６のうちのいずれの処理も行っていない未処理のコンテンツを検索対象のコンテンツとして選択するための処理を行う（図９のステップＳ３３）。
【００９３】
制御部１０は、図９のステップＳ３３の処理において選択した検索対象のコンテンツの番組情報に基づき、当該検索対象のコンテンツが現行放送の放送波に由来するものであるか否かを判定するための処理を行う（図９のステップＳ３４）。すなわち、制御部１０は、図９のステップＳ３４において、検索対象のコンテンツが複数種類の放送波のうちのどの種類の放送波に由来するものであるかを特定するための処理を行っている。
【００９４】
制御部１０は、図９のステップＳ３３の処理において選択した検索対象のコンテンツが現行放送の放送波に由来するものであるとの判定結果を得た場合（Ｓ３４：ＹＥＳ）に、不揮発性メモリ１０ｃに格納されている文字コード対応表ＭＬＡを参照することにより、当該コンテンツの番組情報に含まれるコードＣＤＩにより示される番組記号ＰＳＩと、図９のステップＳ３２の処理により特定した番組記号ＰＳＡと、を比較するための処理を行う（図９のステップＳ３５）とともに、当該処理により得られた比較結果に応じたデータを生成してＲＡＭ１０ｂに格納する。すなわち、図９のステップＳ３５の処理が行われた場合には、図９のステップＳ３３の処理において選択されたコンテンツを示す情報に含まれる番組記号ＰＳＩと番組記号ＰＳＡとが一致するか否かに係る比較結果を示す情報と、を関連付けたデータに相当する、番組検索画面ＳＧＣにおいて検索条件として指定された番組記号が検索対象のコンテンツの番組情報に含まれているか否かに係る処理結果を示すデータがＲＡＭ１０ｂに格納される。
【００９５】
制御部１０は、図９のステップＳ３３の処理において選択した検索対象のコンテンツが高度広帯域放送の放送波に由来するものであるとの判定結果を得た場合（Ｓ３４：ＮＯ）に、不揮発性メモリ１０ｃに格納されている文字コード対応表ＭＬＢを参照することにより、当該コンテンツの番組情報に含まれるコードＣＤＪにより示される番組記号ＰＳＪと、図９のステップＳ３２の処理により特定した番組記号ＰＳＡと、を比較するための処理を行う（図９のステップＳ３６）とともに、当該処理により得られた比較結果に応じたデータを生成してＲＡＭ１０ｂに格納する。すなわち、図９のステップＳ３６の処理が行われた場合には、図９のステップＳ３３の処理において選択されたコンテンツを示す情報に含まれる番組記号ＰＳＪと番組記号ＰＳＡとが一致するか否かに係る比較結果を示す情報と、を関連付けたデータに相当する、番組検索画面ＳＧＣにおいて検索条件として指定された番組記号が検索対象のコンテンツの番組情報に含まれているか否かに係る処理結果を示すデータがＲＡＭ１０ｂに格納される。
【００９６】
制御部１０は、ＨＤＤ２４に記録されている全てのコンテンツに対し、図９のステップＳ３５またはステップＳ３６のいずれかの処理を行ったか否かを判定するための処理を行う（図９のステップＳ３７）。
【００９７】
制御部１０は、ＨＤＤ２４に記録されている全てのコンテンツの中に、図９のステップＳ３５及びステップＳ３６のうちのいずれの処理も行っていないコンテンツが存在するとの判定結果を得た場合（Ｓ３７：ＮＯ）に、図９のステップＳ３３以降の処理を再度行う。
【００９８】
制御部１０は、ＨＤＤ２４に記録されている全てのコンテンツに対し、図９のステップＳ３５またはステップＳ３６のいずれかの処理を行ったとの判定結果を得た場合（Ｓ３７：ＹＥＳ）に、ＲＡＭ１０ｂに格納されたデータに基づき、番組検索画面ＳＧＣの各検索条件指定ボックスにおいて指定された検索条件に該当するコンテンツを一覧表示するような検索結果画面を生成して映像表示部８に表示させるための制御をＯＳＤ信号生成部５及び映像処理部６に対して行う（図９のステップＳ３８）。
【００９９】
具体的には、制御部１０は、ＲＡＭ１０ｂに格納されたデータに基づき、ＨＤＤ２４に記録されている全てのコンテンツの中から、番組記号ＰＳＡと番組記号ＰＳＩとが一致するとの処理結果が得られたコンテンツと、番組記号ＰＳＡと番組記号ＰＳＪとが一致するとの処理結果が得られたコンテンツと、をそれぞれ特定するための処理を行う。そして、制御部１０は、前述の処理により特定したコンテンツを一覧表示するような検索結果画面を生成して映像表示部８に表示させるための制御をＯＳＤ信号生成部５及び映像処理部６に対して行う。
【０１００】
図９の一連の処理によれば、現行放送の放送波に由来するコンテンツの番組情報に含まれる番組記号に基づく検索と、高度広帯域放送の放送波に由来するコンテンツの番組情報に含まれる番組記号に基づく検索と、を切り替えつつ、ＨＤＤ２４に記録されているコンテンツの検索が行われる。また、図９の処理によれば、例えば、字幕放送を表す囲み文字のみが検索条件として指定された状態でＨＤＤ２４に記録されているコンテンツに対する検索が行われた場合に、図６に示したような検索結果画面ＳＧＤが映像表示部８に表示される。従って、本変形例によれば、互いに異なる複数種類の放送波に由来するコンテンツが混在している状態において、外字を検索条件に含む場合の番組検索の利便性を確保することができる。
【０１０１】
なお、以上に述べた実施形態及び変形例は、例えば、文字コードの規格が同じである一方で外字に対応するコードのみが異なるような２種類の放送波を含む複数種類の放送波を受信する場合に適用することができる。
【０１０２】
本発明は、上記実施形態に限定されるものではなく、実施段階ではその要旨を逸脱しない範囲で種々に変形することが可能である。また、上記実施形態には種々の段階の発明が含まれており、開示される複数の構成要件における適当な組み合わせにより種々の発明が抽出され得る。例えば、実施形態に示される全構成要件からいくつかの構成要件が削除されても、発明が解決しようとする課題の欄で述べた課題が解決でき、発明の効果の欄で述べられている効果が得られる場合には、この構成要件が削除された構成が発明として抽出され得る。
【符号の説明】
【０１０３】
１…放送受信装置、５…ＯＳＤ信号生成部、６…映像処理部、８…映像表示部、１０…制御部、１０ｃ…不揮発性メモリ、２１Ａ，２１Ｂ，２１Ｃ…アンテナ。
【図１】
2019186782.tif 000003
【図２】
2019186782.tif 000004
【図３】
2019186782.tif 000005
【図４】
2019186782.tif 000006
【図５】
2019186782.tif 000007
【図６】
2019186782.tif 000008
【図７】
2019186782.tif 000009
【図８】
2019186782.tif 000010
【図９】
2019186782.tif 000011